(57)【要約】【課題】  包装用仕切を包装用箱本体とともに折り畳み自在にすること。【解決手段】  折り畳み自在な方形の包装用箱本体１２ｃ内に、折り目ｃを境にして横片１０ａと縦片１０ｂにより展開状態において、平面から見て方形の升目１０ｄが得られるようにした伸縮自在の仕切１０が内装され、包装用箱本体１２ｃの四隅の折り目１２ｆに臨む縦片１０ｂは包装用箱本体１２ｃの他方の一対の側板１２ｂ、１２ｂに貼付されることなく、一方の一対の側板１２ａ、１２ａには横片１０ａが貼付されてなるもの。【選択図】      図１
0003114649.tif 000002
【実用新案登録請求の範囲】
【請求項１】
包装用仕切を備えた包装用箱において、
横片１０ａと縦片１０ｂの境に折り目１０ｃが形成され、伸張状態において平面から見て多数の方形の升目１０ｄを設けることが予定された伸縮自在な包装用仕切１０と、
対向する一方の一組の側板１２ａ、１２ａと対向する他方の一組の側板１２ｂ、１２ｂからなる包装用箱本体１２ｃが設けられるとともに該包装用箱本体１２ｃは方形の一定の肉厚を有する紙製であり、
該包装用箱本体１２ｃの前記の二組の側板１２ａ、１２ａ、１２ｂ、１２ｂの開口端と底側端に二枚又は四枚からなる蓋片１２ｄおよび底片１２ｅがそれぞれ折り畳み自在に連設され、
該包装用箱本体１２ｃの四隅に折り目１２ｆが設けられ、
該蓋片１２ｄおよび該底片１２ｅが二組の側板１２ａ、１２ａ、１２ｂ、１２ｂに対して直角に組立てられた状態において、該包装用箱本体１２ｃ内に該包装用仕切１０がその底片１２ｅから遊離し、かつ、蓋片１２ｄ側が蓋片１２ｄに干渉しないように内装され、
少なくとも該包装用箱本体１２ｃの四隅の折り目１２ｆに臨む包装用仕切１０の縦片１０ｂは他方の一組の側板１２ｂ、１２ｂに貼付されることなく自由状態に設定され、
一方の一組の側板１２ａ、１２ａに臨む包装用仕切１０の横片１０ａが該側板１２ａ、１２ａに貼付されてなることにより、
該包装用箱を保管や輸送に備え、対向する一方の一組の側板１２ａ、１２ａを該蓋片１２ｄおよび該底片１２ｅとともに折り目１２ｆを介して扁平とし、併せて対向する他方の一組の側板１２ｂ、１２ｂを該蓋片１２ｄおよび該底片１２ｅとともに折り目１０ｃを介して扁平にすることにより包装用仕切１０を側板１２ａ、１２ｂ間に圧縮して該包装用箱を板状となし、
一方、該包装用箱を使用に備え、板状である該包装用箱の二組の側板１２ａ、１２ｂを該蓋片１２ｄおよび該底片１２ｅとともに折り目１２ｆを介してそれぞれ直角に伸張させることにより、二組の側板１２ａ、１２ｂの伸張に追従して二組の側板１２ａ、１２ｂ間に平面から見て多数の方形の升目１０ｄを設け、底片１２ｅを側板１２ａ、１２と直角方向へ折曲するようにしてなることを特徴とする包装用仕切を備えた包装用箱。
【請求項２】
自由状態に配置された縦片１０ｂとその縦片１０ｂに連設された横片１０ａの境の折り目１０ｃが包装用箱本体１２ｃの折り目１２ｆに一致され、該横片１０ａが一方の一組の側板１２ａ、側板１２ａに貼付されてなることを特徴とする請求項１記載の包装用仕切を備えた包装用箱。
【請求項３】
伸縮自在な包装用仕切は、折り目１０ｃを境にして第１の横片１０ａ−１、第１の縦片１０ｂ−１、第２の横片１０ａ−２、第２の縦片１０ｂ−２および第３の横片１０ａ−３の順序により連設された仕切用従体１０Ａが設けられ、該仕切用従体１０Ａの第１の横片１０ａ−１、第２の横片１０ａ−２および第３の横片１０ａ−３が第１の縦片１０ｂ−１および第２の縦片１０ｂ−２に対して直角方向に折り畳み自在に設けられてなることを特徴とする請求項１又は２記載の包装用仕切りを備えた包装用箱。
【請求項４】
伸縮自在な包装用仕切は、折り目１０ｃを境にして横片１０ａと縦片１０ｂが交互に多数片設けられ、横片１０ａと縦片１０ｂが折り目１０ｃを境にして交互に直角方向に折曲されるようにしてなることを特徴とする請求項１又は２記載の包装用仕切を備えた包装用箱。
【請求項５】
横片１０ａの外側に基紙１４が設けられ、該基紙１４を介して包装用仕切１０が対向する一方の側板１２ａ、１２ａ、に貼付されてなることを特徴とする請求項１、２、３又は４記載の包装用仕切を備えた包装用箱。
【請求項６】
伸縮自在な包装用仕切１０の高さｈが被包装物Ｗの高さＨに比較して低く、底片１２ｅが水平方向に組立てられた状態において、該包装用箱本体１２ｃ内に該包装用仕切１０が底片１２ｅから遊離して設けられ、かつ、被包装物Ｗを該包装用箱１２の底片１２ｅ上に載置したとき、該包装用仕切１０の底側の位置が被包装物Ｗの底より上方であり、該包装用箱１２の開口側の上方の位置が被包装物Ｗの頂部より低く設定されてなることを特徴とする請求項１、２、３、４又は５記載の包装用仕切を備えた包装用箱。
【請求項７】
底片１２ｅが水平方向に組立てられた状態において、該包装用箱本体１２ｃ内に該包装用仕切１０が底片１２ｅから遊離して設けられ、かつ、被包装物Ｗを該包装用箱１２の底片１２ｅ上に載置したとき、該包装用仕切１０の底側の位置が被包装物Ｗの底より上方であり、該包装用箱１２の開口側の上方の位置が被包装物Ｗの頂部より高く設定されてなることを特徴とする請求項１、２、３、４又は５記載の包装用仕切りを備えた包装用箱。
【請求項８】
該包装用箱本体１２ｃが一定の肉厚を有する段ボールであることを特徴とする請求項１、２、３、４、５、６又は７記載の包装用仕切りを備えた包装用箱。
【考案の詳細な説明】
【技術分野】
【０００１】
この考案は、物品の包装を行う仕切を備えた主として業務用の折りたたみ自在な包装用箱に関する。
【背景技術】
【０００２】
この種の考案として本考案者は、先に実開昭５３−１３６９６９号公報に記載された考案をした（特許文献１を参照）。
この考案は、多数枚の仕切枠用基紙が並列かつすこしずつずらし、はみだして配置され、これらの仕切枠用基紙間にコア用紙片がコ字状に連続して貼付されることにより、伸縮自在な仕切枠が設けられ、一方、方形状の折り畳み箱の内側の一側面に仕切枠の一側の仕切枠用基紙が貼付され、他側の仕切枠用基紙は折り畳み箱の内側に貼付されることなく、自由状態に設けられてなるものであった。
【０００３】
さらに、実開昭６３−７６６２４号公報に記載されて考案が知られている（特許文献２を参照）。
この考案は、いわゆる組仕切と称されているものを箱本体内に挿入して使用に供することが予定されたものである。
この考案の仕切は縦片と横片のほか箱本体の四隅に臨ませて縦片と平行な延長片と係止片からなるものであり、延長片と係止片を箱本体の四隅に臨ませることにより、箱本体に挿入された仕切の安定性を図ることが意図されているに止まり、
箱本体と仕切を一体に伸縮自在とすることは意図されてはいなかった。
【特許文献１】実開昭５３−１３６９６９号公報
【特許文献１】実開昭６３−  ７６６２４号公報
【考案の開示】
【考案が解決しようとする課題】
【０００４】
前者の背景技術の解決しようとする問題点は、仕切とともに箱本体を二つ折りでき、非使用時に嵩張ることのないようにできる点で評価できるものの、仕切枠の構造が前記したように、多数枚の仕切枠用基紙が並列かつ、すこしずつずらし、はみだして配置され、これらの仕切枠用基紙間にコア用紙片がコ字状に連続して貼付されたものであるから、仕切枠を生産するのに煩雑である問題があった。
【０００５】
また、前記した仕切枠の他側の仕切枠用基紙が折り畳み箱の内側に貼付されることなく、自由状態に設けられてなるものであったから、仕切枠の全体が常時、折り畳み箱の一側に縮小しようとする性質を回避できなかった。
【０００６】
したがって、仕切枠の升目内に被包装物を収容したとき、他側の仕切枠用基紙は折り畳み箱の内側に貼付されることなく、自由状態に設けられているから、折り畳み箱の他側に近い仕切枠の升目ほど妄動し易く、安定性に欠け、結局、被包装物が仕切枠内で妄動するおそれがあり、被包装物の保護機能が劣る点である。
【０００７】
後者の背景技術の解決しようとする問題点は、箱本体と包装用仕切を一体に伸縮自在とすることができない点である。
【０００８】
この考案の目的は、包装用仕切を箱本体とともに、伸縮自在とすることにより、使い勝手の利便性を図ることと併せ、生産するのに煩雑さが少ない構造の折り畳み自在な仕切を利用しつつ、被包装物の保護機能に優れた包装用箱を提供することにある。
【０００９】
とりわけ、箱本体が折り目を境にして曲げモーメントの作用を受けやすい肉厚の高い段ボールにおいて、箱本体の曲げモーメントの作用を回避し、包装用仕切を箱本体の伸縮に追従して伸縮自在に設けることにある。
【課題を解決するための手段】
【００１０】
上記の目的を達成するため、第１の課題解決手段は、包装用仕切を備えた包装用箱において、横片と縦片の境に折り目が形成され、伸張状態において平面から見て多数の方形の升目を設けることが予定された伸縮自在な包装用仕切と、対向する一方の一組の側板と対向する他方の一組の側板からなる包装用箱本体が設けられるとともに該包装用箱本体は方形の一定の肉厚を有する紙製であり、
該包装用箱本体の前記の二組の側板の開口端と底側端に二枚又は四枚からなる蓋片および底片がそれぞれ折り畳み自在に連設され、該包装用箱本体の四隅に折り目が設けられ、該蓋片および該底片が二組の側板に対して直角に組立てられた状態において、該包装用箱本体内に該包装用仕切がその底片から遊離し、かつ、蓋片側が蓋片に干渉しないように内装され、少なくとも該包装用箱本体の四隅の折り目に臨む包装用仕切の縦片は他方の一組の側板に貼付されることなく自由状態に設定され、一方の一組の側板に臨む包装用仕切の横片が該側板に貼付されてなることにより、該包装用箱を保管や輸送に備え、対向する一方の一組の側板を該蓋片および該底片とともに折り目を介して扁平とし、併せて対向する他方の一組の側板を該蓋片および該底片とともに折り目を介して扁平にすることにより包装用仕切を側板間に圧縮して該包装用箱を板状となし、一方、該包装用箱を使用に備え、板状である該包装用箱の二組の側板を該蓋片および該底片とともに折り目を介してそれぞれ直角に伸張させることにより、二組の側板の伸張に追従して二組の側板間に平面から見て多数の方形の升目を設け、底片を側板と直角方向へ折曲するようにしてなることを特徴とするものである。
【００１１】
上記の目的を達成するため、第２の課題解決手段は、第１の課題解決手段において、自由状態に配置された縦片とその縦片に連設された横片の境の折り目が包装用箱本体の折り目に一致され、該横片が一方の一組の側板に貼付されてなるものである。
【００１２】
上記の目的を達成するため、第３の課題解決手段は、第１又は第２の課題解決手段において、伸縮自在な包装用仕切は、折り目を境にして第１の横片、第１の縦片、第２の横片、第２の縦片および第３の横片の順序により連設された仕切用従体が設けられ、該仕切用従体の第１の横片、第２の横片および第３の横片が第１の縦片および第２の縦片に対して直角方向に折り畳み自在に設けられてなることを特徴とするものである。
【００１３】
上記の目的を達成するため、第４の課題解決手段は、第１又は第２の課題解決手段において、伸縮自在な包装用仕切は、折り目を境にして横片と縦片が交互に多数片設けられ、横片と縦片が折り目を境にして交互に直角方向に折曲されるようにしてなるものである。
【００１４】
上記の目的を達成するため、第５の課題解決手段は、第１、２、３又は第４の課題解決手段において、横片の外側に基紙が設けられ、該基紙を介して包装用仕切が対向する一方の側板に貼付されてなるものである。
【００１５】
上記の目的を達成するため、第６の課題解決手段は、第１、２、３、４又は第５の課題解決手段において、
伸縮自在な包装用仕切の高さが被包装物の高さに比較して低く、底片が水平方向に組立てられた状態において、該包装用箱本体内に該包装用仕切が底片から遊離して設けられ、かつ、被包装物を該包装用箱の底片上に載置したとき、該包装用仕切の底側の位置が被包装物の底より上方であり、該包装用箱の開口側の上方の位置が被包装物の頂部より低く設定されてなるものである。
【００１６】
上記の目的を達成するため、第７の課題解決手段は、第１、２、３、４又は第５の課題解決手段において、底片が水平方向に組立てられた状態において、該包装用箱本体内に該包装用仕切が底片から遊離して設けられ、かつ、被包装物Ｗを該包装用箱の底片上に載置したとき、該包装用仕切の底側の位置が被包装物の底より上方であり、該包装用箱の開口側の上方の位置が被包装物Ｗの頂部より高く設定されてなるものである。
【００１７】
上記の目的を達成するため、第８の課題解決手段は、第１、２、３、４、５、６又は第７の課題解決手段において、
該包装用箱本体が一定の肉厚を有する段ボールであることを特徴とするものである。
【考案の効果】
【００１８】
第１の課題解決手段による考案は、上記の構成であるから、以下の作用効果を奏する。
この考案による包装用箱は、伸縮自在な包装用仕切の縦片と横片のうち、折りたたみ自在な包装用箱の一方の側板に臨む横片のみが一方の側板に貼付され、縦片は他方の側板に貼付されることなく、自由状態に設定されてなるから、仕切の縦片は包装用箱の伸張時に曲げモーメントの作用を受けないので、負荷を生じることがないから、箱の折り畳みに追従させて仕切を確実に伸縮できる。
そして、伸縮作業は、手軽にできるから、包装作業の合理化に寄与できる。
【００１９】
第２の課題解決手段による考案は、上記の構成であるから、第１の課題解決手段が奏する作用効果のほか、以下の作用効果を奏する。
自由状態に配置された縦片とその縦片に連設された横片の境の折り目が包装用箱本体の折り目に一致され、該横片が一方の一組の側板に貼付されてなるものであるから、第１の課題解決手段が奏する作用効果に比較してその作用効果は一層大きい。
【００２０】
第３の課題解決手段による考案は、上記の構成であるから、第１又は第２の課題解決手段が奏する作用効果のほか、以下の作用効果を奏する。
伸縮自在な包装用仕切を手軽に得やすい。
【００２１】
第４の課題解決手段による考案は、上記の構成であるから、第１又は第２の課題解決手段が奏する作用効果のほか、以下の作用効果を奏する。
多数の横片と縦片が交互に連設されているから、仕切を製造する作業が第３の課題解決手段による仕切を製造する場合に比較して楽である。
【００２２】
第５の課題解決手段による考案は、上記の構成であるから、第１、２、３又は第４の課題解決手段が奏する作用効果のほか、以下の作用効果を奏する。
側板に仕切を貼付するのに横片単独に代えて横片を基紙にまとめて貼付できるから、仕切の貼付作業を簡素化できる。
【００２３】
第６の課題解決手段による考案は、上記の構成であるから、第１、２、３、４又は第５の課題解決手段が奏する作用効果のほか、以下の作用効果を奏する。
被包装物の高さに対して仕切は低いものであるから、仕切の材料の節約に寄与できる。
【００２４】
第７の課題解決手段による考案は、上記の構成であるから、第１、２、３、４又は第５の課題解決手段が奏する作用効果のほか、以下の作用効果を奏する。
包装用仕切の底側の位置が被包装物の底より上方であり、該包装用箱の開口側の上方の位置が被包装物の頂部より高く設定されてなるものであるから、第６の課題解決手段による仕切に比較して材料が増加するものの、背景技術の仕切に比較して材料の節約に寄与できる。
【００２５】
第８の課題解決手段による考案は、上記の構成であるから、第１、２、３、４５、６又は第７の課題解決手段が奏する作用効果のほか、以下の作用効果を奏する。
包装用箱本体の材料に曲げモーメントの作用を受けやすい一定の肉厚を有する段ボールを採用しても、曲げモーメントによる負荷を回避できる構成であるから、市場から得られる段ボールをそのまま材料として採用できる。
【考案を実施するための最良の形態】
【００２６】
包装用箱の展開時に包装用仕切に曲げモーメントによる負荷を作用させることなく、包装用仕切とともに折りたたみ自在な包装用箱を設けるという目的を、縦片と横片からなる折りたたみ自在な包装用仕切のうち、方形の包装用箱を構成する一方の側板に隣接する横片のみを貼付させ、他の側板に隣接する縦片は貼付することなく、自由状態に設けることにより実現した。
【実施例１】
【００２７】
以下この考案の実施例１を図面を参照して説明する。
この考案の実施例１は、折りたたみ自在な包装用仕切１０と段ボール箱のように折り畳み自在な包装用箱１２の組み合わせによるものであり、４個の升目１０ｄを備えたものである。
【００２８】
図１は、包装用箱１２を使用に備えて展開したときの横断図である。
包装用仕切１０の構成は、図１を参照して明らかなように、横片１０ａと縦片１０ｂの境に折り目１０ｃが形成され、展開状態において平面から見て４個の方形の升目１０ｄを設けることが予定された例である。
ここに「予定された」とは、図１を参照して明らかなように横片と縦片からなる仕切片のみにより升目１０ｄを構成することなく、包装用仕切１０を該箱１２内に内装することにより、追って説明する箱１２の両側の側片１２ａ、１２ａ、１２ｂ、１２ｂと横片１０ａおよび縦片１０ｂが相俟って升目１０ｄを構成することを準備されたことを意味する。
【００２９】
図１では、比較的短い第１の横片１０ａ、第１の縦片１０ｂ、比較的長い第２の横片１０ａ、第２の縦片１０ｂおよび第３の横片１０ａがそれぞれ折り目１０ｃを介して連設されている。
そして、折り目１０ｃを介して連設された第１の横片１０ａ、第１の縦片１０ｂ、第２の横片１０ａ、第２の縦片１０ｂおよび第３の横片１０ａによる仕切片の二組が互い対称に箱１０に内装されている。
【００３０】
仕切片の材料は一般的にクラフト紙などの薄いものが採用されるが、被包装物の種類により、段ボールのように肉厚の材料も採用されることもある。
【００３１】
用語「横片」と「縦片」は、この物品の構成を特定するための便宜上のものである。
因みに、図１を参照して明らかなように、包装用箱１２を９０度回転させることにより、「横片」が「縦片」に、「縦片」が「横片」に変化することは容易に理解できるであろう。
【００３２】
なお、追って説明する一方の一組の側板１２ａ、１２ａ寄りの横片１０ａは図面上、縦片１０ｂや側板１２ａから遠ざかった横片１０ａ（図１についていえば中央に位置している）の長さに比較して短いものであるが、長くすることは自由である。
この例では、実質上、材料の節約を意図し、併せて糊代の役割をしており、升目１０ｄの構成は側板１２ａが補っているといえる。
【００３３】
他方、包装用箱１２の構成について説明する。
包装用箱１２の構成自体は、知られたものと何ら変化しない。
図１ないし図３を参照して明らかなように、対向する一方の一組の側板１２ａ、１２ａと対向する他方の一組の側板１２ｂ、１２ｂからなる包装用箱本体１２ｃが設けられるとともに方形の一定の肉厚を有する紙製である。
たとえば、１〜５ｍｍ程度の肉厚の段ボール箱や数ｍｍの肉厚を備えた厚紙をその材料に採用することが予定されている。
【００３４】
該包装用箱本体１２ｃの前記の二組の側板１２ａ、１２ａ、１２ｂ、１２ｂの開口端と底側端に二枚又は四枚からなる蓋片１２ｄおよび底片１２ｅがそれぞれ折り畳み自在に連設され、該包装用箱本体１２ｃの四隅に折り目１２ｆが設けられている。
【００３５】
包装用仕切１０と包装用箱１２の組み合わせについて説明する。
該蓋片１２ｄおよび該底片１２ｅが二組の側板１２ａ、１２ａ、１２ｂ、１２ｂに対して直角に組立てられた状態において、該包装用箱本体１２ｃ内に該包装用仕切１０がその底片１２ｅから遊離し、かつ、蓋片１２ｄ側が蓋片１２ｄに干渉しないように内装されている（図３を参照）。
【００３６】
伸縮自在な包装用仕切１０の該縦片１０ｂのうち、一方の側板１２ａと他方の側板１２ｂとの境の折り目１２ｆに近接する第１の縦片１０ｂが他方の側板１２ｂ、１２ｂに貼付されることなく自由状態に設定されている。
【００３７】
一方、自由状態に配置された第１の縦片１０ｂとその第１の縦片１０ｂに連設された第１の横片１０ａの境の折り目１０ｃが包装用箱本体１２ｃの折り目１２ｆに一致され、第１の横片１０ａが一方の一組の側板１２ａに貼付されてなる。
【００３８】
前記の説明は、一方の仕切片について説明したが、他の仕切片は対称に設けられている。
なお、図１において、図面上、上下の仕切片の間に１枚の基紙１４が設けられ、第２の横片１０ａの外側がこの基紙１４に貼付されることにより、仕切１０の展開時における升目１０ｄの形態の維持の確実性を図ることを意図されている。
【００３９】
図１ないし図３に示される仕切１０の構成は、図面上、上下に二段によっている。
図面を省略したが、三段以上により仕切１０が構成される場合、一方の側板１２ａ、１２ａ寄りから遠ざかる縦片と他方の側板１２ｂ、１２ｂと貼付の是非について説明すると、前記したようにその縦片を他方の側板１２ｂ、１２ｂに貼付しない場合と貼付する場合がある。
包装用仕切１０の折り目１２ｆに臨む縦片１０ｂは、他方の側板１２ｂ、１２ｂに貼付されないが、他の縦片について、包装用箱と仕切の材質により、とりわけ曲げモーメントを考慮し、他方の側板１２ｂ、１２ｂに貼付することが検討される。
【００４０】
この実施例では、前記したように、折り目１２ｆに近接する第１の縦片１０ｂが他方の側板１２ｂ、１２ｂに貼付されることなく自由状態に設定され、自由状態に配置された第１の縦片１０ｂとその第１の縦片１０ｂに連設された第１の横片１０ａの境の折り目１０ｃが包装用箱本体１２ｃの折り目１２ｆに一致され、第１の横片１０ａが一方の一組の側板１２ａに貼付されてなることを説明したが、その意義を図４〜図６を参照して説明する。
【００４１】
包装用箱の側板間の折り目部分には、いわゆる曲げモーメントが作用するが、段ボールのように一定の肉厚を備えた材料を採用する場合、曲げモーメントの作用は大きい。
図４のように包装用箱１２が使用に備えて展開され、一方の側板１２ａと他方の側板１２ｂが直角状態にある場合は、内側は圧縮され曲げモーメントは作用しない。
符合Ａ、Ａ間は零に等しい。
【００４２】
したがって、一方の側板１２ａと他方の側板１２ｂの内側に配置される仕切１０の横片１０ａおよび縦片１０ｂに対しても曲げモーメントは作用しないから、仕切１０に負荷が奏しない。
ところが、包装用箱１２の保管や輸送に備えて包装用箱を仕切とともに、扁平に折り畳むときには、一方の側板１２ａと他方の側板１２ｂの境の折り目１２ｃを介して圧縮されていた内側は徐々に伸張されることになる（図５、図６を参照）。
符合Ａ、Ａ間は徐々に広く伸張される。
【００４３】
換言すれば、図６のように一方の側板１２ａと他方の側板１２ｂが折り目１２ｃを介して扁平に折り畳まれたときは、内側は最大に伸張され、そのモーメントは仕切片の横片１０ａと縦片１０ｂに作用し、負荷がかかることになる。
そこで、この考案では、この負荷をなくし、いわゆる「逃げ」を得るため、横片１０ａのみを一方の側板１２ａに貼付し、縦片１０ｂは他方の側板１２ｂに貼付しないことにより、曲げモーメントの作用を受けることなく、よって縦片１０ｂには何らの負荷もかかることのないように意図したものである。
かくして、この考案による包装用箱１２は、仕切１２とともに一体に伸縮が化可能である。
【００４４】
この実施例１の包装用箱１２の伸縮について説明する。
該包装用箱を保管や輸送に備え折り畳む場合。
対向する一方の一組の側板１２ａ、１２ａを該蓋片１２ｄおよび該底片１２ｅとともに折り目１２ｆを介して扁平とし、併せて対向する他方の一組の側板１２ｂ、１２ｂを該蓋片１２ｄおよび該底片１２ｅとともに折り目１０ｃを介して二つ折りに折曲させて包装用仕切１０を側板１２ａ、１２ｂ間に圧縮して該包装用箱を板状とする。
【００４５】
該包装用箱を使用に備えて展開する場合。
一方、該包装用箱を使用に備え、板状である該包装用箱の二組の側板１２ａ、１２ｂを該蓋片１２ｄおよび該底片１２ｅとともに折り目１２ｆを介してそれぞれ直角に伸張させることにより、二組の側板１２ａ、１２ｂの伸張に追従して二組の側板１２ａ、１２ｂ間に平面から見て多数の方形の升目１０ｄを設ける。
【実施例２】
【００４６】
折りたたみ自在な包装用仕切１０は、当業界で知られているが、本考案者はこの考案にたとえば、以下に説明し、前記した図１〜図３に示されるもののほか図７〜図１３に示されるものを試みた。もとより、これらの図面に示されるものに制約する趣旨でない。
以下の実施例２〜５は、実施例１と比較して仕切１０の構成において多少の相違はあるものの、考案として本質的な相違は少ないといえる。
包装用箱１２の構成は、実施例１に記載したものとそっくり同一であるから、その説明を援用し、省略する。
【００４７】
図７を参照して、この仕切１０は、横片１０ａ、縦片１０ｂが折り目１０ｃを介して交互に折曲することにより方形の升目１０ｄを得るようにしてなるが、包装用箱１２内に内装したとき、他方の側板１２ｂ、１２ｂに近接される縦片が他の例と比較して明らかなように設けられることなく、省略されている例である。
この形態の仕切１０は、包装用箱１２内に内装したとき、包装用箱１２の他方の側板１２ｂ、１２ｂを仕切１０の縦片に代えることを意図したものである。
【００４８】
さらに、図８に示されるものは、図７の例の二次例であるが、外側に位置する横片１０ａの外側に基紙１４が貼付されたものである。
この形態の仕切１０は、包装用箱１２に内装されたとき、一方の側板１２ａ、１２ａに基紙１４を介して仕切１０が貼付されている。
予め、基紙１４が貼付された仕切１０を一方の側板１２ａ、１２ａに貼付する場合、仕切１０を装着し易いという利便性を有する。
【００４９】
包装用箱１２と仕切１０の組み合わせは、そっくり実施例１と同一である。
【実施例３】
【００５０】
図９および図１０を参照して、伸縮自在な包装用仕切は、折り目１０ｃを境にして第１の横片１０ａ−１、第１の縦片１０ｂ−１、第２の横片１０ａ−２、第２の縦片１０ｂ−２および第３の横片１０ａ−３が順序よく連設された仕切用従体１０Ａが複数組み設けられ、該仕切用従体１０Ａの第１の横片１０ａ−１、第２の横片１０ａ−２および第３の横片１０ａ−３が第１の縦片１０ｂ−１および第２の縦片１０ｂ−２に対して直角方向に折り畳み自在に設けられてなるものである。
【００５１】
該仕切用従体１０Ａの横列群が対称に箱１０に内装され、該仕切用従体１０Ａの横列群間の横片の間に紙片１４が設けられている（図９を参照）。
また、図１０に示される例では、前記した実施例２と同様に外側に位置する横片１０ａの外側に基紙１４が貼付されいる。
この形態の仕切１０も、包装用箱１２に内装されたとき、一方の側板１２ａ、１２ａに基紙１４を介して仕切１０が貼付されている。
予め、基紙１４が貼付された仕切１０を一方の側板１２ａ、１２ａに貼付する場合、仕切１０を装着し易いという利便性を有する。
【００５２】
包装用箱１２と仕切１０の組み合わせは、そっくり実施例１と同一である。
【実施例４】
【００５３】
図１１および図１２を参照して、伸縮自在な包装用仕切は、折り目１０ｃを境にして横片１０ａと縦片１０ｂが交互に多数片設けられ、横片１０ａと縦片１０ｂが折り目１０ｃを境にして交互に直角方向に折曲されるようにしてなるものである。
【００５４】
仕切１０の横片１０ａの外側には、紙片１４が貼付され、この形態の仕切１０も、包装用箱１２に内装されたとき、一方の側板１２ａ、１２ａに基紙１４を介して仕切１０が貼付されている。
予め、基紙１４が貼付された仕切１０を一方の側板１２ａ、１２ａに貼付する場合、仕切１０を装着し易いという利便性を有する。
【００５５】
包装用箱１２と仕切１０の組み合わせは、そっくり実施例１と同一である。
【実施例５】
【００５６】
図１３を参照して、伸縮自在な包装用仕切は、一対の基紙１４間に折り目１０ｃを境にして横片１０ａと縦片１０ｂが交互に多数片設けられ、横片１０ａと縦片１０ｂが折り目１０ｃを境にして交互に直角方向に折曲されるようにしてなるもので、両側の横片１０ａが互いに内側に折曲されるように構成されている。
【００５７】
この形態の仕切１０も、包装用箱１２に内装されたとき、一方の側板１２ａ、１２ａに基紙１４を介して仕切１０が貼付されている。
予め、基紙１４が貼付された仕切１０を一方の側板１２ａ、１２ａに貼付する場合、仕切１０を装着し易いという利便性を有する。
【００５８】
包装用箱１２と仕切１０の組み合わせは、そっくり実施例１と同一である。
【実施例６】
【００５９】
この実施例６は、仕切１０の材料を節約することに寄与する例といえる。
図１４を参照して、伸縮自在な包装用仕切１０の高さｈが被包装物Ｗの高さＨに比較して低く、底片１２ｅが水平方向に組立てられた状態において、該包装用箱本体１２ｃ内に該包装用仕切り１０が底片１２ｅから遊離して設けられ、かつ、被包装物Ｗを該包装用箱１２の底片１２ｅ上に載置したとき、該包装用仕切り１０の底側の位置が被包装物Ｗの底より上方であり、該包装用箱１２の開口側の上方の位置が被包装物Ｗの頂部より低く設定されてなるものである。
【００６０】
実施例の被包装物Ｗは殺虫剤を入れた円柱状の噴霧容器であるが、前記の方形の仕切１０により、該容器の中央部の周囲が囲繞されものである。
【実施例７】
【００６１】
底片１２ｅが水平方向に組立てられた状態において、該包装用箱本体１２ｃ内に該包装用仕切り１０が底片１２ｅから遊離して設けられ、かつ、被包装物Ｗを該包装用箱１２の底片１２ｅ上に載置したとき、該包装用仕切り１０の底側の位置が被包装物Ｗの底より上方であり、該包装用箱１２の開口側の上方の位置が被包装物Ｗの頂部より高く設定されてなるものである。
【図面の簡単な説明】
【００６２】
【図１】この考案の実施の形態に係る包装用箱の横断面図である（実施例１）。
【図２】この考案の実施の形態に係る包装用箱の折りたたみ時の横断面図である（実施例１）。
【図３】この考案の他の実施の形態に係る包装用箱の折りたたみ時の斜視図である（実施例１）。
【図４】この考案の実施の形態に係る包装用箱の折りたたみ時の折り目部位の拡大説明図である（実施例１）。
【図５】この考案の実施の形態に係る包装用箱の組立直前時の折り目部位の拡大説明図である（実施例１）。
【図６】この考案の実施の形態に係る包装用箱の組立時の折り目部位の拡大説明図である（実施例１）。
【図７】この考案の実施の形態に係る包装用箱の横断面図である（実施例２の１）。
【図８】この考案の他の実施の形態に係る包装用箱の横断面図である実施例２の２）。
【図９】この考案の実施の形態に係る包装用箱の横断面図である（実施例３の１）。
【図１０】この考案の他の実施の形態に係る包装用箱の横断面図である（実施例３の２）。
【図１１】この考案の実施の形態に係る包装用箱の横断面図である（実施例４の１）。
【図１２】この考案の他の実施の形態に係る包装用箱の横断面図である（実施例４の１）。
【図１３】この考案の実施の形態に係る包装用仕切の斜視図である（実施例５）。
【図１４】この考案の実施の形態に係る包装用箱の他の例の要部縦断面図である（実施例６および７）。
【符号の説明】
【００６３】
１０  包装用仕切
１０ａ  包装用仕切の横片
１０ｂ  包装用仕切の縦片
１０ａ−１  第１の横片部
１０ａ−２  第２の横片部
１０ａ−３  第３の横片部
１０ｂ−１  第１の縦片部
１０ｂ−１  第２の縦片部
１２  包装用箱
１２ａ  一方の側板
１２ｂ  他方の側板
１２ｃ  包装用箱本体
１２ｄ  升目
１２ｅ  蓋片
１２ｆ  折り目
１４  基紙
【図１】
0003114649.tif 000003
【図２】
0003114649.tif 000004
【図３】
0003114649.tif 000005
【図４】
0003114649.tif 000006
【図５】
0003114649.tif 000007
【図６】
0003114649.tif 000008
【図７】
0003114649.tif 000009
【図８】
0003114649.tif 000010
【図９】
0003114649.tif 000011
【図１０】
0003114649.tif 000012
【図１１】
0003114649.tif 000013
【図１２】
0003114649.tif 000014
【図１３】
0003114649.tif 000015
【図１４】
0003114649.tif 000016